(57)【要約】【課題】  一枚の用紙に複数頁の画像を印刷する場合に、任意のレイアウトを容易に設定することができる画像形成装置を提供する。【解決手段】  複数の画像を縮小して１枚の用紙に印刷するＮｕｐ印刷機能を有する画像形成装置であって、Ｎｕｐ印刷した場合の各用紙内のレイアウトプレビューを表示する表示手段と、表示手段に表示された各用紙毎に、１枚の用紙内に印刷する画像の数を増加／減少させて、印刷レイアウトを変更する入力手段とを備える。【選択図】    図１
2005354466.tif 000002
【特許請求の範囲】
【請求項１】
複数の画像を縮小して１枚の用紙に印刷するＮｕｐ印刷機能を有する画像形成装置であって、
Ｎｕｐ印刷した場合の各用紙内のレイアウトプレビューを表示する表示手段と、
前記表示手段に表示された各用紙毎に、１枚の用紙内に印刷する画像の数を増加／減少させて、印刷レイアウトを変更する入力手段と
を備えたことを特徴とする画像形成装置。
【請求項２】
複数の画像を縮小して１枚の用紙に印刷するＮｕｐ印刷機能を有する画像形成装置であって、
Ｎｕｐ印刷した場合の各用紙内のレイアウトプレビューを表示する表示手段と、
前記表示手段に表示された各用紙毎に論理頁を設定するとともに、設定した論理頁内をさらに分割または分割解除して１枚の用紙内に複数の論理頁を配置し、この論理頁に印刷する画像データを対応させて、印刷レイアウトを変更する入力手段と
を備えたことを特徴とする画像形成装置。
【請求項３】
前記入力手段は、用紙内に印刷する画像データの属性に基づいて、１枚の用紙内に印刷する画像の数の上限を設けたことを特徴とする請求項１または２に記載の画像形成装置。
【請求項４】
前記レイアウトプレビューの各頁には、印刷される画像を表示することを特徴とする請求項１から３のいずれかに記載の画像形成装置。
【請求項５】
複数の画像を縮小して１枚の用紙に印刷するＮｕｐ印刷機能を有する画像形成装置を制御する印刷制御プログラムであって、
Ｎｕｐ印刷した場合の各用紙内のレイアウトプレビューを表示する表示過程と、
前記表示過程で表示された各用紙毎に、１枚の用紙内に印刷する画像の数を増加／減少させて、印刷レイアウトを変更する入力過程と
を有することを特徴とする印刷制御プログラム。
【請求項６】
複数の画像を縮小して１枚の用紙に印刷するＮｕｐ印刷機能を有する画像形成装置を制御する印刷制御プログラムであって、
Ｎｕｐ印刷した場合の各用紙内のレイアウトプレビューを表示する表示過程と、
前記表示過程で表示された各用紙毎に論理頁を設定するとともに、設定した論理頁内をさらに分割または分割解除して１枚の用紙内に複数の論理頁を配置し、この論理頁に印刷する画像データを対応させて、印刷レイアウトを変更する入力過程と
を有することを特徴とする印刷制御プログラム。
【請求項７】
前記入力過程は、用紙内に印刷する画像データの属性に基づいて、１枚の用紙内に印刷する画像の数の上限を設けたことを特徴とする請求項５または６に記載の印刷制御プログラム。
【請求項８】
前記レイアウトプレビューの各頁には、印刷される画像を表示することを特徴とする請求項５から７のいずれかに記載の印刷制御プログラム。
【発明の詳細な説明】
【技術分野】
【０００１】
本発明は、一枚の用紙に複数頁の画像を印刷する画像形成装置及び印刷制御プログラムに関する。
【背景技術】
【０００２】
複写、ＦＡＸ送受信、プリンタ等の複数の機能を有する複合機は、一枚の用紙に複数頁の画像を印刷するＮｕｐ印刷機能を有している。Ｎｕｐ印刷は、Ｎ枚の原稿頁を１枚に印刷するもである。例えば、Ａ４サイズの原稿データが２頁分ある場合に、各頁の原稿データをＡ５サイズに縮小し、２頁分の原稿データを１枚のＡ４用紙に印刷するものである。Ｎｕｐ印刷では、２頁を１枚に印刷することを２ｕｐ印刷、４頁を１枚に印刷することを４ｕｐ印刷という。
従来技術として、表紙をＮｕｐなしに印刷し、２頁目以降をＮｕｐ印刷するもの（例えば、特許文献１参照）、混載原稿をＮｕｐ印刷するもの（例えば、特許文献２参照）、指定頁以降をＮｕｐ印刷するもの（例えば、特許文献３参照）が知られている。
【特許文献１】特開２００３−２７４１４７号公報
【特許文献２】特開２００１−１８９８４３号公報
【特許文献３】特開２００３−１０１６９５号公報
【発明の開示】
【発明が解決しようとする課題】
【０００３】
しかしながら、特許文献１〜３に示す装置にあっては、Ｎｕｐ印刷において、任意のレイアウトを設定して印刷するには、たいへんな手間がかかり、所望のレイアウトで印刷するには、印刷を複数回に分けて行わなければならない手間が発生する場合があるという問題がある。
【０００４】
本発明は、このような事情に鑑みてなされたもので、一枚の用紙に複数頁の画像を印刷する場合に、任意のレイアウトを容易に設定することができる画像形成装置及び印刷制御プログラムを提供することを目的とする。
【課題を解決するための手段】
【０００５】
請求項１に記載の発明は、複数の画像を縮小して１枚の用紙に印刷するＮｕｐ印刷機能を有する画像形成装置であって、Ｎｕｐ印刷した場合の各用紙内のレイアウトプレビューを表示する表示手段と、前記表示手段に表示された各用紙毎に、１枚の用紙内に印刷する画像の数を増加／減少させて、印刷レイアウトを変更する入力手段とを備えたことを特徴とする。
【０００６】
請求項２に記載の発明は、複数の画像を縮小して１枚の用紙に印刷するＮｕｐ印刷機能を有する画像形成装置であって、Ｎｕｐ印刷した場合の各用紙内のレイアウトプレビューを表示する表示手段と、前記表示手段に表示された各用紙毎に論理頁を設定するとともに、設定した論理頁内をさらに分割または分割解除して１枚の用紙内に複数の論理頁を配置し、この論理頁に印刷する画像データを対応させて、印刷レイアウトを変更する入力手段とを備えたことを特徴とする。
【０００７】
請求項３に記載の発明は、前記入力手段は、用紙内に印刷する画像データの属性に基づいて、１枚の用紙内に印刷する画像の数の上限を設けたことを特徴とする。
【０００８】
請求項４に記載の発明は、前記レイアウトプレビューの各頁には、印刷される画像を表示することを特徴とする。
【０００９】
請求項５に記載の発明は、複数の画像を縮小して１枚の用紙に印刷するＮｕｐ印刷機能を有する画像形成装置を制御する印刷制御プログラムであって、Ｎｕｐ印刷した場合の各用紙内のレイアウトプレビューを表示する表示過程と、前記表示過程で表示された各用紙毎に、１枚の用紙内に印刷する画像の数を増加／減少させて、印刷レイアウトを変更する入力過程とを有することを特徴とする。
【００１０】
請求項６に記載の発明は、複数の画像を縮小して１枚の用紙に印刷するＮｕｐ印刷機能を有する画像形成装置を制御する印刷制御プログラムであって、Ｎｕｐ印刷した場合の各用紙内のレイアウトプレビューを表示する表示過程と、前記表示過程で表示された各用紙毎に論理頁を設定するとともに、設定した論理頁内をさらに分割または分割解除して１枚の用紙内に複数の論理頁を配置し、この論理頁に印刷する画像データを対応させて、印刷レイアウトを変更する入力過程とを有することを特徴とする。
【００１１】
請求項７に記載の発明は、前記入力過程は、用紙内に印刷する画像データの属性に基づいて、１枚の用紙内に印刷する画像の数の上限を設けたことを特徴とする。
【００１２】
請求項８に記載の発明は、前記レイアウトプレビューの各頁には、印刷される画像を表示することを特徴とする。
【発明の効果】
【００１３】
本発明によれば、一枚の用紙に複数頁の画像を印刷するＮｕｐ印刷においてレイアウトプレビュー画面を表示するようにして、表示された各頁毎に、Ｎｕｐ印刷の設定を簡単に行うことができるようにしたため、任意のレイアウトを容易に設定して印刷することが可能になるという効果が得られる。また、１枚の用紙内に印刷する画像の数の上限を設けたため、印刷結果において文字等が読みとれなくなることを防止することができる。また、プレビュー画面は、印刷される画像を表示するようにしたため、画面を見ながらＮｕｐ印刷の設定を容易に行うことができる。
【発明を実施するための最良の形態】
【００１４】
以下、本発明の一実施形態による画像形成装置を図面を参照して説明する。図１は同実施形態の構成を示すブロック図である。この図において、符号ＰＲは、画像形成装置であり、コピー、ＦＡＸ送受信、プリンタ等の機能を備えた複合機である。符号１は、画像形成装置ＰＲの動作を統括する制御部である。符号２は、画像をカラーまたはモノクロで読み取りデジタルの画像データに変換する画像読み取り部である。符号３は、画像読み取り部２によって読み取った画像データ、またはパソコンＰＣから送信される印刷データを記憶する画像メモリである。符号４は、画像メモリ３に記憶されているデータを印刷する印刷処理部であり、給紙、印刷、排紙の動作を制御する。符号５は、テンキー、ファンクションキー、タッチパネル等からなる入力部である。符号６は、液晶ディスプレイからなる表示部である。符号７は、パソコンＰＣから送信される印刷データを受信する印刷データ受信部である。符号８は、画像形成装置ＰＲ及びパソコンＰＣが接続され、相互に情報通信を行うコンピュータネットワークである。符号９は、パソコンＰＣ内に備えられた印刷データ送信部であり、パソコンＰＣ上のアプリケーションソフトウェアで作成した画像を画像形成装置ＰＲにおいて印刷するための動作制御を行う印刷データを生成し、パソコンＰＣから画像形成装置ＰＲへ送信する。
【００１５】
次に、図１に示す装置の動作を説明する。ここでは、パソコンＰＣ上のアプリケーション（例えば、ワープロソフト）を使用して作成した文書データを画像形成装置で印刷する動作を例にして説明する。まず、使用者は、パソコンＰＣ上のアプリケーションを使用して、文書データを作成する。ここでは、Ａ４用紙サイズで２０頁分の文書データを作成したものとして説明する。
【００１６】
次に、使用者がパソコンＰＣを操作して、「Ｎｕｐ印刷」を指定するともに、使用する用紙サイズを「Ａ４」と指定すると、パソコンＰＣ上のアプリケーションは、印刷データ送信部９に対して、Ｎｕｐ印刷の印刷指示を出力する。これを受けて、印刷データ送信部９は、Ｎｕｐ印刷の設定画面をパソコンＰＣ上の画面に表示する。図２は、Ｎｕｐ印刷の設定画面の一例を示す図である。ここで、使用者は、「１シートの頁数」を「２、４、８、…、任意」のいずれかを選択する。ここでは、１シートの頁数に「任意」が選択されたものとする。
【００１７】
次に、使用者は、Ｎｕｐ印刷の設定画面上の「レイアウトプレビュー」ボタンをクリックする。これを受けて、印刷データ送信部９は、レイアウトプレビューの画面をパソコンＰＣ上に表示する。図３は、レイアウトプレビューの画面の一例を示す図である。図３に示すように、レイアウトプレビュー画面では、各頁がどのようにレイアウトされるかが表示される。図３において、（１）〜（１０）は、文書データの１〜１０頁を１〜１０枚目の用紙に印刷することを表しており、この例では、１シートの頁数に「任意」を選択したため、１〜１０頁の初期状態（縮小されていない状態）が表示される。ここで、「後方へ」ボタンをクリックすると、１１〜２０頁の初期状態が表示され、その時点で「前方へ」ボタンをクリックすると、１〜１０頁の初期状態が表示される。「後方へ」ボタンは、現時点で表示されている頁に続く頁の状態を表示するものであり、「前方へ」ボタンは、現時点で表示されている頁の前の頁の状態を表示するものである。１〜５枚目の用紙の上と、６〜１０枚目の用紙の下には、頁増加ボタン「↑」１１と頁減少ボタン「↓」１２が配置されている。頁増加ボタン１１は、対象の用紙内に配置する画像の数を増加させるボタンであり、頁減少ボタン１２は、対象の用紙内に配置する画像の数を減少させるボタンである。
【００１８】
次に、使用者は、この画面を見て、このレイアウトで印刷したければ、「ＯＫ」ボタンを、Ｎｕｐ印刷を設定したい頁があれば、Ｎｕｐ印刷を設定したい用紙の「頁増加」ボタンをクリックする。「頁増加」ボタンがクリックされた場合、印刷データ送信部９は、Ｎｕｐ印刷のためのレイアウト変更処理を行う。ここで、図３、図４を参照して、印刷データ送信部９が行うレイアウト変更処理における状態遷移について説明する。ここでは、１枚目の用紙の頁増加ボタン「↑」１１と頁減少ボタン「↓」１２をクリックした場合の状態遷移を説明する。図４は、プレビュー画面上の状態遷移を示す図である。まず、図３に示す１枚目の頁増加ボタン１１をクリックすると、１枚目の用紙が２分割されて、図４（ａ）に示すように、１枚目の用紙に（１）頁と（２）頁の画像が配置される。ここでさらに１枚目の頁増加ボタン１１をクリックすると、さらに２分割されて、１枚目の用紙に（１）〜（４）頁の画像が配置される（図４（ｂ）参照）。この状態からさらに１枚目の頁増加ボタン１１をクリックすると、さらにそれぞれ２分割されて、１枚目の用紙に（１）〜（８）頁の画像が配置される（図４（ｃ）参照）。
【００１９】
一方、図４（ｃ）の状態から、１枚目の頁減少ボタン１２をクリックすると、それぞれ２分割が解除されて、１枚目の用紙に（１）〜（４）頁の画像が配置される状態に戻る（図４（ｄ）参照）。そして、さらに１枚目の頁減少ボタン１２をクリックすると、それぞれ２分割が解除されて、１枚目の用紙に（１）頁と（３）頁の画像が配置される状態に戻る（図４（ｅ）参照）。この分割／解除の状態は、プレビュー画面上に表示され、使用者はこの画面を見ながら入力部５を操作して印刷レイアウトの設定を行う。図５にレイアウトの設定例を示す。この例は、１枚目の用紙の頁増加ボタンを１回クリックし、３枚目の用紙の頁増加ボタンを２回クリックし、６枚目の用紙の頁増加ボタンを３回クリックしたものである。印刷対象のデータが２０頁分であるため、この設定例では、９枚の用紙に印刷されることになり、１０枚目の用紙は印刷がされない。
【００２０】
このように、各用紙の頁増加ボタンをクリックすると各頁が２分割され、頁解除ボタンをクリックすると各頁の２分割が解除され、１つ前の状態に戻ることになる。使用者は、レイアウトプレビュー画面を見ながら、頁増加ボタン１１、頁減少ボタン１２を操作して、所望のレイアウトになった時点で、「ＯＫ」ボタンをクリックする。レイアウトプレビュー画面において「ＯＫ」ボタンがクリックされると、印刷データ送信部９は、再びＮｕｐ印刷の設定画面（図２）をパソコン上に表示する。ここで使用者は、設定した内容に問題が無ければ、Ｎｕｐ印刷設定画面において、「ＯＫ」ボタンをクリックする。この時点で、印刷データ送信部９内には、各用紙内に印刷する頁の番号が保持されていることになる。
【００２１】
次に、印刷データ送信部９は、印刷指示を出したアプリケーションに対して、文書データの出力指示を出す。これに対して、アプリケーションは、文書データを頁毎に分けて印刷データ送信部９へ逐次出力する。この文書データには、使用する用紙サイズと文書データ内で使用している頁サイズの情報が含まれる。これを受けて、印刷データ送信部９は、各頁毎の文書データと、各用紙内に印刷する頁番号とから印刷に使用する用紙毎の印刷データを生成する。そして、印刷データ送信部９は、得られた用紙毎の印刷データと使用用紙サイズを画像形成装置ＰＲに対して、逐次出力する。
【００２２】
この印刷データは、コンピュータネットワーク８を介して、印刷データ受信部７が受信する。そして、印刷データ受信部７は、受信した使用用紙サイズの情報を制御部１へ出力し、印刷データを画像メモリ３へ格納する。これを受けて、制御部１は、画像メモリ３に格納された印刷データを、使用用紙サイズの用紙へ印刷するように、印刷処理部４へ指示を出す。これを受けて、印刷処理部４は、画像メモリ３に格納されている印刷データを印刷する。これにより、プレビュー画面上で設定したレイアウトの基づいたＮｕｐ印刷が行われることとなる。
【００２３】
次に、画像形成装置単体でコピー（複写）機能を使用した場合の動作を説明する。
ここでは、２０枚のＡ４サイズの原稿を、図５に示すレイアウトの状態でコピーするものとして説明する。まず、使用者は、２０枚の原稿全てを画像読み取り部２の上に順に置いて、画像読み取りを行う。これにより、画像メモリ３に２０枚分の画像読み取りデータが格納される。
【００２４】
次に、使用者は、入力部５より「Ｎｕｐ印刷」を指定するともに、使用する用紙サイズを「Ａ４」と指定する。これを受けて、制御部１は、Ｎｕｐ印刷の設定画面（図２）を表示部６に表示する。
【００２５】
次に、使用者は、Ｎｕｐ印刷の設定画面上の「レイアウトプレビュー」ボタンをタッチする。これを受けて、制御部１は、レイアウトプレビューの画面（図３）を表示部６に表示する。このレイアウトプレビュー画面では、各頁がどのようにレイアウトされるかが表示される。
【００２６】
次に、使用者は、この画面を見て、このレイアウトで印刷したければ、「ＯＫ」ボタンを、Ｎｕｐ印刷を設定したい頁があれば、Ｎｕｐ印刷を設定したい頁の頁増加ボタンまたは頁減少ボタンをクリックして、レイアウトを設定する。このときの状態遷移は、前述した動作（図４）と同様である。これを受けて、制御部１は、各用紙内に印刷する頁をレイアウトしたレイアウトプレビューの画面を表示部６に表示する。
【００２７】
使用者は、このレイアウトプレビュー画面を見て、このレイアウトで印刷したければ、「ＯＫ」ボタンをタッチする。レイアウトプレビュー画面において「ＯＫ」ボタンがタッチされると、制御部１は、再びＮｕｐ印刷の設定画面（図２）を表示部６上に表示する。ここで使用者は、設定した内容に問題が無ければ、Ｎｕｐ印刷設定画面において、「ＯＫ」ボタンをタッチする。この時点で、制御部１内には、各用紙内に印刷する頁の番号が保持されていることになる。
【００２８】
次に、制御部１は、画像メモリ２内の画像データと、各用紙内に印刷する頁番号とから印刷に使用する用紙毎の印刷データを生成して、再び画像メモリ２へ格納する。そして、制御部１は、画像メモリ３に格納された印刷データを、使用用紙サイズの用紙へ印刷するように、印刷処理部４へ指示を出す。これを受けて、印刷処理部４は、画像メモリ３に格納されている印刷データを印刷する。これにより、プレビュー画面上で設定したレイアウトの基づいたＮｕｐ印刷が行われることとなる。
【００２９】
このように、一枚の用紙に複数頁の画像を印刷するＮｕｐ印刷においてレイアウトプレビュー画面を表示するようにして、表示された各頁毎に、Ｎｕｐ印刷の設定を簡単に行うことができるようにしたため、任意のレイアウトを容易に設定して印刷することが可能になる。
【００３０】
次に、図６〜図８を参照して、他の実施形態を説明する。図６は、他の実施形態におけるプレビュー画面の表示例を示す図である。図６に示すプレビュー画面が、図３に示すプレビュー画面と異なる点は、頁増加ボタン１１と頁減少ボタン１２が、各頁内に配置されていることである。
【００３１】
ここで、図７を参照して、レイアウト設定時の状態遷移を説明する。まず、図６に示す１枚目の頁増加ボタン１１をクリックすると、１枚目の用紙が２分割されて、図７（ａ）に示すように、１枚目の用紙に（１）頁と（２）頁の画像が配置される。この１枚の用紙中に配置される頁（ここでは（１）頁と（２）頁）を論理頁と呼び、各論理頁には、それぞれ頁増加ボタンと頁減少ボタンが配置される。この論理頁の定義と、それぞれの論理頁内に頁増加ボタンと頁減少ボタンを配置する処理は、印刷データ送信部９または制御部１が行う。
【００３２】
続いて、論理頁（２）の頁増加ボタン１１ａをクリックすると、論理頁（２）の部分のみさらに２分割されて、１枚目の用紙に（１）〜（３）頁の画像が配置される（図７（ｂ）参照）。この状態からさらに論理頁（３）の頁増加ボタン１１ｂをクリックすると、さらに２分割されて、１枚目の用紙に（１）〜（４）頁の画像が配置される（図４（ｃ）参照）。
【００３３】
一方、図７（ｃ）の状態から、１枚目の用紙の論理頁（２）の頁減少ボタン１２ａをクリックすると、論理頁（２）の分割が解除されて、分割される前の状態（図７（ｄ））に戻り、論理頁（３）（４）は、大きさが変化せずに２枚目の用紙へ移動する。さらに、２枚目の用紙には、論理頁（５）（６）が順に配置される。そして、図７（ｄ）の状態から論理頁（３）の頁減少ボタン１２ｂをクリックすると、論理頁（３）の分割が解除されて、分割される前の状態（図７（ｅ））に戻り、２枚目の用紙には、論理頁（３）（４）（５）が順に配置される。
【００３４】
このように、頁増加ボタンをクリックすると、対象の論理頁部分が２分割されて、２つの論理頁が配置されるとともに、各論理頁内のそれぞれに頁増加ボタンと頁減少ボタンが配置され、論理頁単位でレイアウト変更を行うことが可能となる。これにより、図８に示すレイアウト設定が可能となる。図５に示すレイアウトは、各用紙内に印刷する頁の大きさは同一であったが、図８に示すレイアウトは、各用紙内に印刷する頁の大きさを可変することができる。
【００３５】
なお、用紙内に印刷する画像データの属性に基づいて、１枚の用紙内に印刷する画像の数の上限、すなわち画像データの縮小率の限界を設けるようにしてもよい。Ｎｕｐ印刷を行う場合は、画像データを縮小して用紙内に配置することになるが、１枚の用紙中の頁数を任意に設定した場合、原理的には、無限に縮小することが可能である。しかし、印刷した結果を読みとれない状態で印刷しても無意味の場合がある。このようなことが発生することを防止するため、使用者の設定によって画像データを縮小する必要がある場合、縮小対象の画像データ中の属性に基づいて、縮小する限度を超えていることを使用者に警告するようにする。例えば、印刷データ送信部９または制御部１内部に文字サイズ毎の限界縮小率を予め記憶しておき、縮小対象の画像データに含まれる文字データのうち、最も小さい文字サイズが設定されている文字データを抽出し、この文字サイズに対応する限界縮小率と、使用者の設定によって縮小しようとする縮小率とを比較して、縮小しようとする縮小率が限界縮小率を超えている場合は警告を表示するようにする。このようにすれば、読みとれない印刷結果が出力されることを防止することができる。
【００３６】
また、図３、図６に示すレイアウトプレビューの画面において、各頁を示す頁番号とともに、実際の画像データを表示するようにしてもよい。このようにすることにより、プレビュー画面に表示される画像そのものを見ながら、Ｎｕｐ印刷に設定・解除を行うことができる。印刷対象のデータが多い場合などでは、何頁目を解除するかを事前に覚えて置かなければならないが、画像を見ながら設定・解除を指定することができるため、指定の間違いをなくすことが可能となる。
【００３７】
なお、図１における制御部１及び印刷データ送信部９の機能を実現するためのプログラムをコンピュータ読み取り可能な記録媒体に記録して、この記録媒体に記録されたプログラムをコンピュータシステムに読み込ませ、実行することにより印刷制御処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３９】
【図１】本発明の一実施形態の構成を示すブロック図である。
【図２】Ｎｕｐ印刷の指定時の画面表示例を示す説明図である。
【図３】Ｎｕｐ印刷の指定時の画面表示例を示す説明図である。
【図４】レイアウトの状態変化を示す説明図である。
【図５】レイアウト変更結果を示す説明図である。
【図６】Ｎｕｐ印刷の指定時の画面表示例を示す説明図である。
【図７】レイアウトの状態変化を示す説明図である。
【図８】レイアウト変更結果を示す説明図である。
【符号の説明】
【００４０】
ＰＲ・・・画像形成装置、
ＰＣ・・・パソコン、
１・・・制御部、
２・・・画像読み取り部、
３・・・画像メモリ、
４・・・印刷処理部、
５・・・入力部、
６・・・表示部、
７・・・印刷データ受信部
８・・・コンピュータネットワーク、
９・・・印刷データ送信部
【図１】
2005354466.tif 000003
【図２】
2005354466.tif 000004
【図３】
2005354466.tif 000005
【図４】
2005354466.tif 000006
【図５】
2005354466.tif 000007
【図６】
2005354466.tif 000008
【図７】
2005354466.tif 000009
【図８】
2005354466.tif 000010